(57)【要約】【課題】利用者の安全性を担保することが可能な酸素ルームを提供する。【解決手段】本発明における酸素ルーム１は、気圧制御部６の液晶表示装置１９にモード選択画面が表示されている状態において、標準気圧よりも低い気圧が圧力選択として選択されるとともに、運転時間、及び降圧時間が選択され、設定完了操作が検出され、開始ボタン１１が操作されると、収容部２の内部の気圧が降圧されることとなる。そして、ＣＰＵ６ａにより、収容部２の内部の気圧が減圧用の気圧閾値である「０．６」気圧となったと判定されると、警告装置２９による警告が行われる。【選択図】図１０
2020110361.tif 000002
【特許請求の範囲】
【請求項１】
利用者を内部に収容可能な金属製の収容部と、
前記収容部に形成された開口部と、
前記収容部の内部の気圧を標準気圧と比較して低い気圧にする制御を行う低圧制御部と、
前記開口部を閉塞可能な扉部と、
前記収容部の内部の気圧を計測する計測部と、
前記計測部により計測された前記収容部の内部の気圧が所定の閾値に到達したか否かを判定する判定部と、
前記判定部により、前記収容部の内部の気圧が前記所定の閾値に到達したと判定された場合に、警告を行う警告部と、
を備えたことを特徴とする酸素ルーム。
【請求項２】
利用者を内部に収容可能な金属製の収容部と、
前記収容部に形成された開口部と、
前記収容部の内部の気圧を標準気圧と比較して高い気圧にする制御を行う高圧制御部と、
前記開口部を閉塞可能な扉部と、
前記収容部の内部の気圧を計測する計測部と、
前記計測部により計測された前記収容部の内部の気圧が所定の閾値に到達したか否かを判定する判定部と、
前記判定部により、前記収容部の内部の気圧が前記所定の閾値に到達したと判定された場合に、警告を行う警告部と、
を備えたことを特徴とする酸素ルーム。
【請求項３】
前記判定部により、前記収容部の内部の気圧が前記所定の閾値に到達したと判定された場合に、前記収容部の内部の気圧を前記標準気圧に復圧する復圧部と、
を更に備えたことを特徴とする請求項１または請求項２に記載の酸素ルーム。
【発明の詳細な説明】
【技術分野】
【０００１】
本発明は、酸素ルームに関するものである。
【背景技術】
【０００２】
従来では、標準気圧よりも高い気圧にする制御と、標準気圧よりも低い気圧にする制御とを行う酸素ルームが知られている（例えば、特許文献１）。このような酸素ルームは、利用者が収容される収容部の内部の気圧を標準気圧よりも高い気圧とすることにより、利用者の健康や、美容に関する効果が期待できる。一方で、収容部の内部の気圧を標準気圧よりも低い気圧とすることで、高地トレーニングを想定したトレーニングルームとして利用することができる。
【先行技術文献】
【特許文献】
【０００３】
【特許文献１】特開２００３−２１０６３７号公報
【発明の概要】
【発明が解決しようとする課題】
【０００４】
しかしながら、このような酸素ルームは、故障することが考えられる。そして、酸素ルームが故障すると、収容部の内部の気圧が設定された気圧よりも高くなり過ぎる虞や、設定された気圧よりも低くなり過ぎる虞がある。例えば、収容部の内部の気圧が低くなり過ぎると、利用者の生命に危険を伴う虞がある。
【０００５】
本発明は、このような問題点に鑑み、利用者の安全性を担保することが可能な酸素ルームを提供することを目的とする。
【課題を解決するための手段】
【０００６】
このような課題を解決するために、本発明に係る酸素ルームは、利用者を内部に収容可能な金属製の収容部と、前記収容部に形成された開口部と、前記収容部の内部の気圧を標準気圧と比較して低い気圧にする制御を行う低圧制御部と、前記開口部を閉塞可能な扉部と、前記収容部の内部の気圧を計測する計測部と、前記計測部により計測された前記収容部の内部の気圧が所定の閾値に到達したか否かを判定する判定部と、前記判定部により、前記収容部の内部の気圧が前記所定の閾値に到達したと判定された場合に、警告を行う警告部と、を備えたことを特徴とする。
【０００７】
また、本発明に係る酸素ルームは、利用者を内部に収容可能な金属製の収容部と、前記収容部に形成された開口部と、前記収容部の内部の気圧を標準気圧と比較して高い気圧にする制御を行う高圧制御部と、前記開口部を閉塞可能な扉部と、前記収容部の内部の気圧を計測する計測部と、前記計測部により計測された前記収容部の内部の気圧が所定の閾値に到達したか否かを判定する判定部と、前記判定部により、前記収容部の内部の気圧が前記所定の閾値に到達したと判定された場合に、警告を行う警告部と、を備えたことを特徴とする。
【０００８】
また、本発明に係る酸素ルームにおいて、前記判定部により、前記収容部の内部の気圧が前記所定の閾値に到達したと判定された場合に、前記収容部の内部の気圧を前記標準気圧に復圧する復圧部と、を更に備えたことを特徴とする。
【発明の効果】
【０００９】
本発明によれば、利用者の安全性を担保することが可能な酸素ルームを提供することができる。
【図面の簡単な説明】
【００１０】
【図１】酸素ルームの外観斜視図の一例を示す図である。
【図２】酸素ルームの収容部の内部構造の断面図の一例を示す図である。
【図３】酸素ルームのブロック図の一例を示す図である。
【図４】気圧制御部における処理の一例を示す図である。
【図５】割込処理の一例を示す図である。
【図６】降圧から復圧までの気圧の推移を表すグラフの一例を示す図である。
【図７】降圧故障時における気圧の推移を表すグラフの一例を示す図である。
【図８】昇圧から復圧までの気圧の推移を表すグラフの一例を示す図である。
【図９】昇圧故障時における気圧の推移を表すグラフの一例を示す図である。
【図１０】降圧故障時における警告装置の表示態様の一例を示す図である。
【図１１】昇圧故障時における警告装置の表示態様の一例を示す図である。
【発明を実施するための形態】
【００１１】
以下、本発明の実施形態について図面を参照しながら具体的に説明する。
【００１２】
（酸素ルーム１の外観斜視図）
まず、図１〜図２を用いて、本発明における酸素ルーム１の構成について具体的に説明を行う。なお、図１は、開口部３が開放された状態の酸素ルーム１の外観斜視図である。また、図２は、酸素ルームの収容部２の内部構造を示す断面図である。
【００１３】
（酸素ルーム１）
本発明における酸素ルーム１は、収容部２と、気圧制御部６と、濃縮酸素装置７により構成される。
【００１４】
（収容部２）
収容部２は、収容部２の底面に設けられている板状の底面板と、収容部２の正面視左側面に設けられている板状の左側面板と、収容部２の正面視右側面に設けられている板状の右側面板と、収容部２の正面側に設けられている板状の正面板と、収容部２の背面側に設けられている板状の背面板と、収容部２の天井側に設けられている板状の天井板とにより構成されており、溶接、ビス止め等により結合されることで箱形状に形成されている。また、収容部２は、酸素ルーム１を利用する利用者を収容可能な空間を内部に有している。
【００１５】
また、収容部２の材質は、強度に優れた金属製（例えば、鋼、鉄）となっている。これにより、収容部２の耐重圧性、耐衝撃性が向上するので、収容部２の内部にいる利用者の安全性が向上する。なお、収容部２の材質は、強度に優れた材質であればどのような材質であってもよい。
【００１６】
ここで、本実施形態において、天井板には、天井板を補強するための金属製の天井板補強柱が格子状に設けられている。これにより、例えば、地震等で鉄筋や鉄骨構造物が上方から衝突した際であっても、鉄筋や鉄骨構造物が天井板に衝突する前に、天井板補強柱に衝突することとなるので、酸素ルーム１の安全性が向上する。なお、天井板補強柱は、溶接、ビス止め等により天井板と結合される。
【００１７】
同様に、正面板には、正面板を補強するための金属製の正面板補強柱が格子状に設けられており、底面板には、底面板を補強するための金属製の底面板補強柱が格子状に設けられている。
【００１８】
また、本実施形態において、右側面板には、右側面板を補強するための金属製の右側面板補強柱が設けられている。これにより、例えば、地震等で鉄筋や鉄骨構造物が右側から衝突した際であっても、鉄筋や鉄骨構造物が右側面板に衝突する前に、右側面板補強柱に衝突することとなるので、酸素ルーム１の安全性が向上する。なお、右側面板補強柱は、溶接、ビス止め等により右側面板と結合される。
【００１９】
同様に、左側面板には、左側面板を補強するための金属製の左側面板補強柱が設けられており、背面板には、背面板を補強するための金属製の背面板補強柱が設けられている。
【００２０】
なお、天井板補強柱、正面板補強柱、底面板補強柱、右側面板補強柱、左側面板補強柱、及び背面板補強柱を総称して「補強柱」という。
【００２１】
ここで、本実施形態において、収容部２は、奥行き（Ｄ）が１２０ｃｍ、幅（Ｗ）が２６０ｃｍ、高さ（Ｈ）が１５０ｃｍ程度の大きさとなっており、酸素ルーム１の利用者を複数人収容可能となっているが、収容部２の大きさは、少なくとも１人の利用者を収容可能な大きさであればどのような大きさであってもよい。
【００２２】
（開口部３）
開口部３は、収容部２の正面板に設けられており、酸素ルーム１の利用者が収容部２の内部に出入り可能な大きさにより形成されている。ここで、開口部３の大きさは、利用者が出入り可能な大きさであれば、どのような大きさであってもよい。また、開口部３が設けられる位置は、正面板ではなく、他の位置に設けられていてもよい。例えば、開口部３が左側面板や、右側面板、背面板、天井板に設けられていてもよい。
【００２３】
（扉部４）
扉部４は、収容部２の正面板に設けられており、開口部３を開放可能、及び閉塞可能に設けられている。具体的には、扉部４は、収容部２の内部方向に可動することにより開口可能な加圧用の内扉と、収容部２の外部方向に可動することにより開口可能な減圧用の外扉とにより構成されている。ここで、本実施形態における扉部４の大きさは、開口部３よりも大きい。
【００２４】
また、扉部４が設けられる位置は、開口部３が設けられている位置に合わせて、別の位置に設けられていてもよい。なお、本実施形態において、扉部４は、開き戸となっているが、これに限定されることはなく、例えば、引き戸や、折れ戸であってもよい。
【００２５】
（窓部５）
窓部５は、収容部２の正面板に設けられており、収容部２の外部から収容部２の内部を視認可能とするために設けられている。また、窓部５を設けることにより、収容部２の内部にいる利用者の閉塞感を軽減することができる。ここで、窓部５は、正面板以外の位置（例えば、左側面板、右側面板、背面板）に設けられていてもよく、複数設けられていてもよい。なお、窓部５の大きさは、どのような大きさであってもよい。
【００２６】
（気圧制御部６）
気圧制御部６は、収容部２や、濃縮酸素装置７と接続されており、収容部２の内部の気圧を制御するために設けられている。なお、気圧制御部６については、後で図３を用いて詳述する。
【００２７】
（濃縮酸素装置７）
濃縮酸素装置７は、気圧制御部６と接続されており、空気中の窒素、及び二酸化炭素を取り除くためのゼオライト（図示せず）を有している。
【００２８】
（外側酸素排出弁８）
外側酸素排出弁８は、正面板に設けられており、収容部２の内部の気圧を標準気圧にするために設けられている。ここで、収容部２の外側から外側酸素排出弁８が操作されることにより、収容部２の内部の気圧が標準気圧（「１．０」気圧）に戻ることとなる。
【００２９】
（内側酸素排出弁９）
内側酸素排出弁９は、正面板に設けられており、外側酸素排出弁８と同様に、収容部２の内部の酸素を排出するために設けられている。ここで、利用者は、収容部２の内部から内側酸素排出弁９が操作されることにより、収容部２の内部の気圧が標準気圧に戻ることとなる。
【００３０】
（酸素濃度計１７）
酸素濃度計１７は、収容部２の内部に設けられており、収容部２の内部の酸素濃度を計測するために設けられている。なお、酸素濃度計１７は、収容部２の内部に設けられているが、収容部２の内部の酸素濃度を計測可能な位置であれば、どこに設けられていてもよい。
【００３１】
（警告装置２９）
警告装置２９は、収容部２の内部に設けられており、収容部２の内部の酸素濃度が所定の閾値に到達した場合、または収容部２の内部の気圧が所定の閾値に到達した場合に、警告を行うために設けられている。ここで、本実施形態における警告装置２９は、液晶表示部と、スピーカとを備えており、警告表示と、警告音とにより警告が行われる。
【００３２】
（気圧制御部６のブロック図）
次に、図３を用いて、気圧制御部６のブロック図について説明を行う。
【００３３】
気圧制御部６は、ＣＰＵ６ａと、ＲＯＭ６ｂと、ＲＡＭ６ｃと、電源鍵部１０と、開始ボタン１１と、終了ボタン１２と、一時停止ボタン１３と、緊急停止ボタン１４と、タッチパネル１５と、気圧計１６と、受話器１８と、液晶表示装置１９と、加圧開閉弁２０と、減圧開閉弁２１と、大気開放弁２２と、第１開閉弁２３と、第２開閉弁２４と、第３開閉弁２５と、第４開閉弁２６とを備えている。
【００３４】
また、気圧制御部６には、濃縮酸素装置７と、酸素濃度計１７と、加圧ポンプ２７と、減圧ポンプ２８と、警告装置２９とが接続されている。
【００３５】
（ＣＰＵ６ａ）
ＣＰＵ６ａは、気圧制御部６の制御を行うために設けられており、ＲＯＭ６ｂに記憶されているプログラムを読み込み、所定の演算処理を行うことにより、濃縮酸素装置７、受話器１８、加圧ポンプ２７、減圧ポンプ２８、警告装置２９に対して所定の信号を送信する。
【００３６】
また、ＣＰＵ６ａは、ＲＯＭ６ｂに記憶されているプログラムを読み込み、所定の演算処理を行うことにより、受話器１８、液晶表示装置１９、加圧開閉弁２０、減圧開閉弁２１、大気開放弁２２、第１開閉弁２３、第２開閉弁２４、第３開閉弁２５、第４開閉弁２６の制御を行う。
【００３７】
また、ＣＰＵ６ａは、濃縮酸素装置７、電源鍵部１０、開始ボタン１１、終了ボタン１２、一時停止ボタン１３、緊急停止ボタン１４、タッチパネル１５、気圧計１６、酸素濃度計１７から所定の信号を入力し、入力した信号に応じた処理を行う。
【００３８】
（ＲＯＭ６ｂ）
ＲＯＭ６ｂは、ＣＰＵ６ａにより実行される制御プログラム、データテーブル、濃縮酸素装置７、受話器１８、加圧ポンプ２７、減圧ポンプ２８、警告装置２９に対する信号を送信するためのデータ等を記憶するために設けられている。ここで、ＲＯＭ６ｂには、酸素濃度の閾値や、加圧時の閾値、及び減圧時の閾値を記憶している。
【００３９】
（ＲＡＭ６ｃ）
ＲＡＭ６ｃは、ＣＰＵ６ａによるプログラムの実行により決定された各種データを格納するために設けられている。また、ＲＡＭ６ｃには、気圧制御部６の運転状態を示すステータス格納領域が設けられている。
【００４０】
（電源鍵部１０）
電源鍵部１０は、気圧制御部６に電力を供給する操作を検出するために設けられている。また、電源鍵部１０は、図示しない鍵が挿入されて所定方向に回動される操作を検出することにより、電源がＯＮとなる。一方で、図示しない鍵が挿入されて所定方向に回動されている状態において、所定方向と逆方向に回動される操作を検出することにより、電源がＯＦＦとなる。
【００４１】
（開始ボタン１１）
開始ボタン１１は、設定された気圧に対して昇圧、または降圧を開始するために設けられている。また、開始ボタン１１は、図示しない開始スイッチを備えている。
【００４２】
（終了ボタン１２）
終了ボタン１２は、気圧制御部６が収容部２の内部の気圧を制御している状態において、収容部２の内部の気圧の制御を終了する操作を検出するために設けられている。また、終了ボタン１２は、図示しない終了スイッチを備えている。
【００４３】
（一時停止ボタン１３）
一時停止ボタン１３は、気圧制御部６が収容部２の内部の気圧を昇圧、または降圧している状態において、収容部２の内部の気圧の昇圧や、降圧を一時停止する操作を検出するために設けられている。また、一時停止ボタン１３は、図示しない一時停止スイッチを備えている。
【００４４】
（緊急停止ボタン１４）
緊急停止ボタン１４は、気圧制御部６が収容部２の内部の気圧を制御している状態において、収容部２の内部の気圧の制御を緊急停止する操作を検出するために設けられている。また、緊急停止ボタン１４は、図示しない緊急停止スイッチを備えている。
【００４５】
（タッチパネル１５）
タッチパネル１５は、液晶表示装置１９の表面、及び／または裏面に設けられており、収容部２の内部の気圧を選択するための操作や、気圧制御部６の運転時間を選択するための操作、昇圧時間を選択するための操作、降圧時間を選択するための操作などを検出するために設けられている。
【００４６】
（気圧計１６）
気圧計１６は、収容部２の内部の気圧を計測するために設けられている。ここで、本実施形態において、気圧計１６は、加圧開閉弁２０や、減圧開閉弁２１の近傍に設けられているが、収容部２の内部の気圧を計測することが可能な位置であれば、どこに設けられていてもよい。例えば、収容部２の内部に設けられていてもよい。
【００４７】
（受話器１８）
受話器１８は、収容部２の内部に設けられている受話器と通話を行うために設けられている。
【００４８】
（液晶表示装置１９）
液晶表示装置１９は、初期画面や、モード選択画面等を表示するために設けられている。
【００４９】
（加圧開閉弁２０）
加圧開閉弁２０は、加圧ポンプ２７を可動して収容部２の内部の気圧を昇圧する際には開放され、減圧ポンプ２８を可動して収容部２の内部の気圧を降圧する際には閉塞される。
【００５０】
（減圧開閉弁２１）
減圧開閉弁２１は、減圧ポンプ２８を可動して収容部２の内部の気圧を降圧する際には開放され、加圧ポンプ２７を可動して収容部２の内部の気圧を昇圧する際には閉塞される。
【００５１】
（大気開放弁２２）
大気開放弁２２は、電源がＯＮとなったときに閉塞され、電源がＯＦＦになったときや、緊急停止ボタン１４が操作されたときに開放される。また、大気開放弁２２が開放されると、収容部２の内部の気圧が標準気圧に復圧することとなる。
【００５２】
（第１開閉弁２３）
第１開閉弁２３は、昇圧、降圧、圧力保持、及び復圧の制御を行う際に、収容部２の内部の気圧を補正するために設けられている。
【００５３】
（第２開閉弁２４）
第２開閉弁２４は、第１開閉弁２３と同様に、昇圧、降圧、圧力保持、及び復圧の制御を行う際に、収容部２の内部の気圧を補正するために設けられている。
【００５４】
（第３開閉弁２５）
第３開閉弁２５は、第１開閉弁２３や第２開閉弁２４と同様に、昇圧、降圧、圧力保持、及び復圧の制御を行う際に、収容部２の内部の気圧を補正するために設けられている。
【００５５】
（第４開閉弁２６）
第４開閉弁２６は、第１開閉弁２３〜第３開閉弁２５と同様に、昇圧、降圧、圧力保持、及び復圧の制御を行う際に、収容部２の内部の気圧を補正するために設けられている。
【００５６】
（加圧ポンプ２７）
加圧ポンプ２７は、昇圧、及び圧力保持の制御を行う際に、収容部２の内部の気圧を加圧するために設けられている。
【００５７】
（減圧ポンプ２８）
減圧ポンプ２８は、降圧、及び圧力保持の制御を行う際に、収容部２の内部の気圧を減圧するために設けられている。
【００５８】
（気圧制御部６における処理）
次に、図４を用いて、気圧制御部６における処理について説明を行う。
【００５９】
（ステップＳ１）
ステップＳ１において、ＣＰＵ６ａは、電源がＯＮとなったか否かを判定する処理を行う。具体的には、ＣＰＵ６ａは、図示しない鍵が電源鍵部１０に挿入されて所定方向に回動される操作を検出したか否かを判定する処理を行う。そして、電源がＯＮとなったと判定された場合には（ステップＳ１＝ＹＥＳ）、ステップＳ２に処理を移行する。一方で、電源がＯＮとなっていないと判定された場合には（ステップＳ１＝ＮＯ）、電源がＯＮとなるまでステップＳ１の処理を繰り返し実行することとなる。
【００６０】
（ステップＳ２）
ステップＳ２において、ＣＰＵ６ａは、電源投入時処理を行う。具体的には、ＣＰＵ６ａは、液晶表示装置１９に初期画面を表示する処理を行った後、モード選択画面を表示する処理を行う。また、電源投入時処理において、ＣＰＵ６ａは、大気開放弁２２を閉塞する処理や、ＲＡＭ６ｃに設けられているステータス格納領域に「１（停止）」をセットする処理を行う。そして、ステップＳ２の処理が終了すると、ステップＳ３に処理を移行する。
【００６１】
（ステップＳ３）
ステップＳ３において、ＣＰＵ６ａは、電源がＯＦＦとなったか否かを判定する処理を行う。具体的には、ＣＰＵ６ａは、図示しない鍵が電源鍵部１０に挿入されて所定方向と逆方向に回動される操作を検出したか否かを判定する処理を行う。そして、電源がＯＦＦとなったと判定された場合には（ステップＳ３＝ＹＥＳ）、ステップＳ４に処理を移行する。一方で、電源がＯＦＦとなっていないと判定された場合には（ステップＳ３＝ＮＯ）、ステップＳ５に処理を移行する。
【００６２】
（ステップＳ４）
ステップＳ４において、ＣＰＵ６ａは、電源断時処理を行う。具体的には、ＣＰＵ６ａは、大気開放弁２２を開放する処理や、ＲＡＭ６ｃに設けられているステータス格納領域に「１（停止）」をセットする処理を行う。そして、ステップＳ４の処理が終了すると、ステップＳ１に処理を移行する。
【００６３】
（ステップＳ５）
ステップＳ５において、ＣＰＵ６ａは、ステータスが「１（停止）」であるか否かを判定する処理を行う。具体的には、ＣＰＵ６ａは、ＲＡＭ６ｃに設けられているステータス格納領域の値が「１（停止）」であるか否かを判定する処理を行う。そして、ステータスが「１（停止）」であると判定された場合には（ステップＳ５＝ＹＥＳ）、ステップＳ６に処理を移行する。一方で、ステータスが「１（停止）」ではないと判定された場合には（ステップＳ５＝ＮＯ）、ステップＳ７に処理を移行する。
【００６４】
（ステップＳ６）
ステップＳ６において、ＣＰＵ６ａは、停止時処理を行う。具体的には、ＣＰＵ６ａは、液晶表示装置１９にモード選択画面が表示されている状態において、タッチパネル１５により、圧力（気圧）を選択する操作や、運転時間を選択する操作、昇圧時間や降圧時間を選択する操作を検出する処理を行う。また、ＣＰＵ６ａは、圧力（気圧）、運転時間、及び昇圧時間が選択されている場合において、設定完了操作が検出された場合に、ＲＡＭ６ｃに設けられているステータス格納領域に「２（昇圧）」をセットする処理や、設定された圧力（気圧）、運転時間、及び昇圧時間をＲＡＭ６ｃに記憶する処理を行う。また、ＣＰＵ６ａは、圧力（気圧）、運転時間、及び降圧時間が選択されている場合において、設定完了操作が検出された場合に、ＲＡＭ６ｃに設けられているステータス格納領域に「３（降圧）」をセットする処理や、設定された圧力（気圧）、運転時間、及び降圧時間をＲＡＭ６ｃに記憶する処理を行う。そして、ステップＳ６の処理が終了すると、ステップＳ３に処理を移行する。
【００６５】
（ステップＳ７）
ステップＳ７において、ＣＰＵ６ａは、ステータスが「２（昇圧）」であるか否かを判定する処理を行う。具体的には、ＣＰＵ６ａは、ＲＡＭ６ｃに設けられているステータス格納領域の値が「２（昇圧）」であるか否かを判定する処理を行う。そして、ステータスが「２（昇圧）」であると判定された場合には（ステップＳ７＝ＹＥＳ）、ステップＳ８に処理を移行する。一方で、ステータスが「２（昇圧）」ではないと判定された場合には（ステップＳ７＝ＮＯ）、ステップＳ９に処理を移行する。
【００６６】
（ステップＳ８）
ステップＳ８において、ＣＰＵ６ａは、昇圧時処理を行う。具体的には、ＣＰＵ６ａは、加圧ポンプ２７を駆動し、収容部２の内部の気圧を加圧する処理を行う。また、ＣＰＵ６ａは、収容部２の内部の気圧が設定された圧力（気圧）に到達した場合に、ＲＡＭ６ｃに設けられているステータス格納領域に「４（圧力保持）」をセットする処理を行う。また、ＣＰＵ６ａは、終了ボタン１２の操作が検出された場合には、ＲＡＭ６ｃに設けられているステータス格納領域に「５（復圧）」をセットする処理を行う終了ボタン操作時処理を行い、一時停止ボタン１３の操作が検出された場合には、収容部２の内部の気圧を維持する一時停止ボタン操作時処理を行い、緊急停止ボタン１４の操作が検出された場合には、大気開放弁２２を開放し、ＲＡＭ６ｃに設けられているステータス格納領域に「１（停止）」をセットする処理を行う緊急停止ボタン操作時処理を行い、設定変更操作が検出された場合には、ＲＡＭ６ｃに設けられているステータス格納領域に「６（加圧調整）」をセットする処理を行う設定変更操作検出時処理を行う。そして、ステップＳ８の処理が終了すると、ステップＳ３に処理を移行する。
【００６７】
（ステップＳ９）
ステップＳ９において、ＣＰＵ６ａは、ステータスが「３（降圧）」であるか否かを判定する処理を行う。具体的には、ＣＰＵ６ａは、ＲＡＭ６ｃに設けられているステータス格納領域の値が「３（降圧）」であるか否かを判定する処理を行う。そして、ステータスが「３（降圧）」であると判定された場合には（ステップＳ９＝ＹＥＳ）、ステップＳ１０に処理を移行する。一方で、ステータスが「３（降圧）」ではないと判定された場合には（ステップＳ９＝ＮＯ）、ステップＳ１１に処理を移行する。
【００６８】
（ステップＳ１０）
ステップＳ１０において、ＣＰＵ６ａは、降圧時処理を行う。具体的には、ＣＰＵ６ａは、減圧ポンプ２８を駆動し、収容部２の内部の気圧を減圧する処理を行う。また、ＣＰＵ６ａは、収容部２の内部の気圧が設定された圧力（気圧）に到達した場合に、ＲＡＭ６ｃに設けられているステータス格納領域に「４（圧力保持）」をセットする処理を行う。また、ＣＰＵ６ａは、終了ボタン１２の操作が検出された場合には、ＲＡＭ６ｃに設けられているステータス格納領域に「５（復圧）」をセットする処理を行う終了ボタン操作時処理を行い、一時停止ボタン１３の操作が検出された場合には、収容部２の内部の気圧を維持する一時停止ボタン操作時処理を行い、緊急停止ボタン１４の操作が検出された場合には、大気開放弁２２を開放し、ＲＡＭ６ｃに設けられているステータス格納領域に「１（停止）」をセットする処理を行う緊急停止ボタン操作時処理を行い、設定変更操作が検出された場合には、ＲＡＭ６ｃに設けられているステータス格納領域に「７（減圧調整）」をセットする処理を行う設定変更操作検出時処理を行う。そして、ステップＳ１０の処理が終了すると、ステップＳ３に処理を移行する。
【００６９】
（ステップＳ１１）
ステップＳ１１において、ＣＰＵ６ａは、ステータスが「４（圧力保持）」であるか否かを判定する処理を行う。具体的には、ＣＰＵ６ａは、ＲＡＭ６ｃに設けられているステータス格納領域の値が「４（圧力保持）」であるか否かを判定する処理を行う。そして、ステータスが「４（圧力保持）」であると判定された場合には（ステップＳ１１＝ＹＥＳ）、ステップＳ１２に処理を移行する。一方で、ステータスが「４（圧力保持）」ではないと判定された場合には（ステップＳ１１＝ＮＯ）、ステップＳ１３に処理を移行する。
【００７０】
（ステップＳ１２）
ステップＳ１２において、ＣＰＵ６ａは、圧力保持時処理を行う。具体的には、ＣＰＵ６ａは、設定されている運転時間が経過した場合に、ＲＡＭ６ｃに設けられているステータス格納領域に「５（復圧）」をセットする処理を行う。また、ＣＰＵ６ａは、終了ボタン１２の操作が検出された場合には、ＲＡＭ６ｃに設けられているステータス格納領域に「５（復圧）」をセットする処理を行う終了ボタン操作時処理を行い、一時停止ボタン１３の操作が検出された場合には、収容部２の内部の気圧を維持する一時停止ボタン操作時処理を行い、緊急停止ボタン１４の操作が検出された場合には、大気開放弁２２を開放し、ＲＡＭ６ｃに設けられているステータス格納領域に「１（停止）」をセットする処理を行う緊急停止ボタン操作時処理を行い、設定されている気圧が標準気圧よりも高い場合において、設定変更操作が検出された場合には、ＲＡＭ６ｃに設けられているステータス格納領域に「６（加圧調整）」をセットする処理を行う加圧設定変更操作検出時処理を行い、設定されている気圧が標準気圧よりも低い場合において、設定変更操作が検出された場合には、ＲＡＭ６ｃに設けられているステータス格納領域に「７（減圧調整）」をセットする処理を行う減圧設定変更操作検出時処理を行う。そして、ステップＳ１２の処理が終了すると、ステップＳ３に処理を移行する。
【００７１】
（ステップＳ１３）
ステップＳ１３において、ＣＰＵ６ａは、ステータスが「５（復圧）」であるか否かを判定する処理を行う。具体的には、ＣＰＵ６ａは、ＲＡＭ６ｃに設けられているステータス格納領域の値が「５（復圧）」であるか否かを判定する処理を行う。そして、ステータスが「５（復圧）」であると判定された場合には（ステップＳ１３＝ＹＥＳ）、ステップＳ１４に処理を移行する。一方で、ステータスが「５（復圧）」ではないと判定された場合には（ステップＳ１３＝ＮＯ）、ステップＳ１５に処理を移行する。
【００７２】
（ステップＳ１４）
ステップＳ１４において、ＣＰＵ６ａは、復圧時処理を行う。具体的には、ＣＰＵ６ａは、加圧ポンプ２７や、減圧ポンプ２８の駆動を停止させ、第１開閉弁２３〜第４開閉弁２６を開閉することにより、収容部２の内部の気圧を標準気圧に戻す復圧処理を行う。また、ＣＰＵ６ａは、復圧処理が完了すると、ＲＡＭ６ｃに設けられているステータス格納領域に「１（停止）」をセットする処理を行う。そして、ステップＳ１４の処理が終了すると、ステップＳ３に処理を移行する。
【００７３】
（ステップＳ１５）
ステップＳ１５において、ＣＰＵ６ａは、ステータスが「６（加圧調整）」であるか否かを判定する処理を行う。具体的には、ＣＰＵ６ａは、ＲＡＭ６ｃに設けられているステータス格納領域の値が「６（加圧調整）」であるか否かを判定する処理を行う。そして、ステータスが「６（加圧調整）」であると判定された場合には（ステップＳ１５＝ＹＥＳ）、ステップＳ１６に処理を移行する。一方で、ステータスが「６（加圧調整）」ではないと判定された場合には（ステップＳ１５＝ＮＯ）、ステップＳ１７に処理を移行する。
【００７４】
（ステップＳ１６）
ステップＳ１６において、ＣＰＵ６ａは、加圧調整時処理を行う。具体的には、ＣＰＵ６ａは、収容部２の内部の気圧が変更された圧力（気圧）に到達した場合に、ＲＡＭ６ｃに設けられているステータス格納領域に「４（圧力保持）」をセットする処理を行う。また、ＣＰＵ６ａは、終了ボタン１２の操作が検出された場合には、ＲＡＭ６ｃに設けられているステータス格納領域に「５（復圧）」をセットする処理を行う終了ボタン操作時処理を行い、一時停止ボタン１３の操作が検出された場合には、収容部２の内部の気圧を維持する一時停止ボタン操作時処理を行い、緊急停止ボタン１４の操作が検出された場合には、大気開放弁２２を開放し、ＲＡＭ６ｃに設けられているステータス格納領域に「１（停止）」をセットする処理を行う緊急停止ボタン操作時処理を行う。そして、ステップＳ１６の処理が終了すると、ステップＳ３に処理を移行する。
【００７５】
（ステップＳ１７）
ステップＳ１７において、ＣＰＵ６ａは、ステータスが「７（減圧調整）」であるか否かを判定する処理を行う。具体的には、ＣＰＵ６ａは、ＲＡＭ６ｃに設けられているステータス格納領域の値が「７（減圧調整）」であるか否かを判定する処理を行う。そして、ステータスが「７（減圧調整）」であると判定された場合には（ステップＳ１７＝ＹＥＳ）、ステップＳ１８に処理を移行する。一方で、ステータスが「７（減圧調整）」ではないと判定された場合には（ステップＳ１７＝ＮＯ）、ステップＳ１９に処理を移行する。
【００７６】
（ステップＳ１８）
ステップＳ１８において、ＣＰＵ６ａは、減圧調整時処理を行う。具体的には、ＣＰＵ６ａは、収容部２の内部の気圧が変更された圧力（気圧）に到達した場合に、ＲＡＭ６ｃに設けられているステータス格納領域に「４（圧力保持）」をセットする処理を行う。また、ＣＰＵ６ａは、終了ボタン１２の操作が検出された場合には、ＲＡＭ６ｃに設けられているステータス格納領域に「５（復圧）」をセットする処理を行う終了ボタン操作時処理を行い、一時停止ボタン１３の操作が検出された場合には、収容部２の内部の気圧を維持する一時停止ボタン操作時処理を行い、緊急停止ボタン１４の操作が検出された場合には、大気開放弁２２を開放し、ＲＡＭ６ｃに設けられているステータス格納領域に「１（停止）」をセットする処理を行う緊急停止ボタン操作時処理を行う。そして、ステップＳ１８の処理が終了すると、ステップＳ３に処理を移行する。
【００７７】
（ステップＳ１９）
ステップＳ１９において、ＣＰＵ６ａは、ステータスが「８（異常）」であるか否かを判定する処理を行う。具体的には、ＣＰＵ６ａは、ＲＡＭ６ｃに設けられているステータス格納領域の値が「８（異常）」であるか否かを判定する処理を行う。そして、ステータスが「８（異常）」であると判定された場合には（ステップＳ１９＝ＹＥＳ）、ステップＳ２０に処理を移行する。一方で、ステータスが「８（異常）」ではないと判定された場合には（ステップＳ１９＝ＮＯ）、ステップＳ３に処理を移行する。
【００７８】
（ステップＳ２０）
ステップＳ２０において、ＣＰＵ６ａは、異常時処理を行う。具体的には、ＣＰＵ６ａは、収容部２の内部の気圧を標準気圧に復圧する処理を行い、収容部２の内部の気圧が標準気圧となった場合に、ＲＡＭ６ｃに設けられているステータス格納領域に「１（停止）」をセットする処理を行う。ここで、標準気圧に復圧する復圧方法については、後で詳述する。そして、ステップＳ２０の処理が終了すると、ステップＳ３に処理を移行する。
【００７９】
（割込処理）
次に、図５を用いて、割込処理について説明を行う。
【００８０】
ここで、割込処理は、気圧制御部６における処理（図４参照）に対して、所定の周期（例えば、２ｍｓ）ごとに割り込んで行われる処理である。
【００８１】
（ステップＳ１０１）
ステップＳ１０１において、ＣＰＵ６ａは、気圧閾値に到達したか否かを判定する処理を行う。具体的には、ＣＰＵ６ａは、気圧計１６による計測の結果と、ＲＯＭ６ｂに記憶されている気圧閾値とを比較することにより、収容部２の内部の気圧が気圧閾値に到達したか否かを判定する処理を行う。そして、気圧閾値に到達したと判定された場合には（ステップＳ１０１＝ＹＥＳ）、ステップＳ１０３に処理を移行する。一方で、気圧閾値に到達していないと判定された場合には（ステップＳ１０１＝ＮＯ）、ステップＳ１０２に処理を移行する。
【００８２】
ここで、「気圧閾値」は、加圧用の気圧閾値と、減圧用の気圧閾値が設けられている。具体的には、本実施形態における加圧用の気圧閾値は、「１．８」気圧であって、減圧用の気圧閾値は「０．６」気圧である。即ち、ステップＳ１０１の処理においては、収容部２の内部の気圧が、加圧用の気圧閾値である「１．８」気圧に到達したか否かを判定する処理と、減圧用の気圧閾値である「０．６」気圧に到達したか否かを判定する処理とが行われることとなる。
【００８３】
（ステップＳ１０２）
ステップＳ１０２において、ＣＰＵ６ａは、酸素濃度閾値に到達したか否かを判定する処理を行う。具体的には、ＣＰＵ６ａは、酸素濃度計１７による計測の結果と、ＲＯＭ６ｂに記憶されている酸素濃度閾値とを比較することにより、収容部２の内部の酸素濃度が酸素濃度閾値に到達したか否かを判定する処理を行う。そして、酸素濃度閾値に到達したと判定された場合には（ステップＳ１０２＝ＹＥＳ）、ステップＳ１０３に処理を移行する。一方で、酸素濃度閾値に到達していないと判定された場合には（ステップＳ１０２＝ＮＯ）、ステップＳ１０５に処理を移行する。
【００８４】
ここで、本実施形態における「酸素濃度閾値」は、「１４％」であって、ＲＯＭ６ｂに記憶されている。
【００８５】
（ステップＳ１０３）
ステップＳ１０３において、ＣＰＵ６ａは、警告処理を行う。具体的には、ＣＰＵ６ａは、警告装置２９が警告画像を表示する処理や、警告音を出音する処理を行うために、警告装置２９に対して所定の信号を送信する処理を行う。また、液晶表示装置１９に警告画像を表示する処理や、気圧制御部６により警告音を出音する処理を行う。そして、ステップＳ１０３の処理が終了すると、ステップＳ１０４に処理を移行する。
【００８６】
（ステップＳ１０４）
ステップＳ１０４において、ＣＰＵ６ａは、警告時ステータス変更処理を行う。具体的には、ＣＰＵ６ａは、ＲＡＭ６ｃに設けられているステータス格納領域に「８（異常）」をセットする処理を行う。そして、ステップＳ１０４の処理が終了すると、割込処理を終了し、割込処理を開始する前の処理に処理を移行する。
【００８７】
（ステップＳ１０５）
ステップＳ１０５において、ＣＰＵ６ａは、監視処理を行う。具体的には、ＣＰＵ６ａは、所定の単位時間あたりの加圧量や、減圧量を監視する処理を行う。そして、ステップＳ１０５の処理が終了すると、ステップＳ１０６に処理を移行する。
【００８８】
（ステップＳ１０６）
ステップＳ１０６において、ＣＰＵ６ａは、補正時であるか否かを判定する処理を行う。具体的には、ＣＰＵ６ａは、ステップＳ１０５の監視処理により、単位時間あたりの加圧量や、減圧量に所定量のズレが生じているか否かを判定する処理を行う。そして、補正時であると判定された場合には（ステップＳ１０６＝ＹＥＳ）、ステップＳ１０７に処理を移行する。一方で、補正時ではないと判定された場合には（ステップＳ１０６＝ＮＯ）、ステップＳ１０８に処理を移行する。
【００８９】
（ステップＳ１０７）
ステップＳ１０７において、ＣＰＵ６ａは、補正処理を行う。具体的には、ＣＰＵ６ａは、単位時間あたりの加圧量や、減圧量に所定量のズレが生じている場合に（ステップＳ１０６＝ＹＥＳ）、第１開閉弁２３〜第４開閉弁２６の一または複数を開放することにより、所定量のズレを補正する処理を行う。そして、ステップＳ１０７の処理が終了すると、割込処理を終了し、割込処理を開始する前の処理に処理を移行する。
【００９０】
ここで、ステップＳ１０７の補正処理をより具体的に説明すると、ＣＰＵ６ａは、加圧量や、減圧量のズレが第１の量である場合には、第１開閉弁２３を開放する制御を行うことにより、気圧のズレを補正する処理を行う。また、ＣＰＵ６ａは、加圧量や、減圧量のズレが第１の量よりも大きな量である第２の量である場合には、第１開閉弁２３、及び第２開閉弁２４を開放する制御を行うことにより、気圧のズレを補正する処理を行う。
【００９１】
また、ＣＰＵ６ａは、加圧量や、減圧量のズレが第２の量よりも大きな量である第３の量である場合には、第１開閉弁２３、第２開閉弁２４、及び第３開閉弁２５を開放する制御を行うことにより、気圧のズレを補正する処理を行う。また、ＣＰＵ６ａは、加圧量や、減圧量のズレが第３の量よりも大きな量である第４の量である場合には、第１開閉弁２３、第２開閉弁２４、第３開閉弁２５、及び第４開閉弁２６を開放する制御を行うことにより、気圧のズレを補正する処理を行う。
【００９２】
（ステップＳ１０８）
ステップＳ１０８において、ＣＰＵ６ａは、エラーを検出したか否かを判定する処理を行う。具体的には、ＣＰＵ６ａは、例えば、ステップＳ１０７の補正処理を行ったものの、所定時間以内に気圧のズレを補正することができなかったか否かを判定する処理を行う。そして、エラーを検出したと判定された場合には（ステップＳ１０８＝ＹＥＳ）、ステップＳ１０９に処理を移行する。一方で、エラーを検出していないと判定された場合には（ステップＳ１０８＝ＮＯ）、割込処理を終了し、割込処理を開始する前の処理に処理を移行する。
【００９３】
（ステップＳ１０９）
ステップＳ１０９において、ＣＰＵ６ａは、エラー時処理を行う。具体的には、ＣＰＵ６ａは、液晶表示装置１９にエラー画像を表示する処理や、警告装置２９がエラー画像を表示するために必要な信号を送信する処理を行う。また、ＣＰＵ６ａは、ＲＡＭ６ｃに設けられているステータス格納領域に「８（異常）」をセットする処理を行う。そして、ステップＳ１０９の処理が終了すると、割込処理を終了し、割込処理を開始する前の処理に処理を移行する。
【００９４】
（降圧から復圧までの気圧の推移を表すグラフ）
次に、図６を用いて、降圧から復圧までの気圧の推移を表すグラフの説明を行う。
【００９５】
まず、図６（Ａ）のタイミングにおいて、モード選択画面が表示されている状態で、圧力として「０．７０気圧」が選択され、運転時間として「９０分」が選択され、降圧時間として「ゆっくり」が選択され、設定完了操作が検出され、開始ボタン１１が操作されると、減圧開閉弁２１が開放し、減圧ポンプ２８が駆動することにより、収容部２の内部の気圧が降圧されることとなる。
【００９６】
ここで、降圧時間については、後で説明するが、「標準」が選択されている場合においては、「１０」分、「ゆっくり」が選択されている場合においては、「１５」分で選択された気圧まで降圧する制御が行われる。
【００９７】
また、運転時間として「９０」分が選択され、降圧時間として「ゆっくり」が選択されると、降圧時間が「１５」分、気圧維持が「６０」分、復圧時間が「１５」分となる。
【００９８】
そして、図６（Ａ）から図６（Ｂ）の間のタイミングにおいては、収容部２の内部の気圧を、標準気圧である「１．０」気圧から設定された「０．７０」気圧まで降圧する制御を行う。具体的には、「１５」分で「０．３」気圧降圧する制御が行われることとなる。換言すると、単位時間である「１」分あたり、「０．０２」気圧降圧する制御が行われる。そして、ステップＳ１０５の監視処理においては、単位時間である「１」分ごとに、「０．０２」気圧よりも降圧しているか否かを監視し、「０．０２」気圧よりも降圧している場合には、ステップＳ１０７の補正処理により、第１開閉弁２３〜第４開閉弁２６の一または複数を開閉する制御が行われることとなる。ここで、第１開閉弁２３〜第４開閉弁２６の一または複数が開放されると、収容部２の内部に外気が取り込まれることにより、収容部２の内部の気圧が補正されることとなる。
【００９９】
次に、図６（Ｂ）のタイミングは、設定された「０．７０」気圧まで降圧したことを示している。
【０１００】
ここで、図６（Ｂ）から図６（Ｃ）の間のタイミングにおいては、気圧制御部６により設定されている「０．７０」気圧を維持する制御が行われる。具体的には、ステップＳ１０５の監視処理においては、「１」分ごとに、「０．０２」気圧降圧しているか否かを監視し、「０．０２」気圧降圧している場合には、ステップＳ１０７の補正処理により、第１開閉弁２３〜第４開閉弁２６の一または複数を開閉する制御が行われることとなる。ここで、第１開閉弁２３〜第４開閉弁２６の一または複数が開放されると、収容部２の内部に外気が取り込まれることとなるので、収容部２の内部の気圧が補正されることとなる。
【０１０１】
次に、図６（Ｃ）のタイミングは、設定された「６０」分の間、収容部２の内部の気圧が維持されたタイミングを示している。このタイミングで、減圧ポンプ２８の駆動が停止することとなる。
【０１０２】
次に、図６（Ｃ）から図６（Ｄ）の間のタイミングにおいては、収容部２の内部の気圧を、「０．７０」気圧から標準気圧である「１．０」気圧まで復圧する制御を行う。具体的には、「１５」分で「０．３」気圧昇圧する制御が行われることとなる。換言すると、単位時間である「１」分あたり、「０．０２」気圧昇圧する制御が行われる。そして、ステップＳ１０５の監視処理においては、単位時間である「１」分ごとに、「０．０２」気圧昇圧しているか否かを監視し、「０．０２」気圧昇圧していない場合には、ステップＳ１０７の補正処理により、第１開閉弁２３〜第４開閉弁２６の一または複数を開閉する制御が行われることとなる。ここで、第１開閉弁２３〜第４開閉弁２６の一または複数が開放されると、収容部２の内部に外気が取り込まれることにより、収容部２の内部の気圧が補正されることとなる。
【０１０３】
次に、図６（Ｄ）のタイミングは、収容部２の内部の気圧が標準気圧に復圧されたタイミングを示している。
【０１０４】
（降圧故障時における気圧の推移を表すグラフ）
次に、図７を用いて、降圧故障時における気圧の推移を表すグラフの説明を行う。
【０１０５】
まず、図７（Ａ）のタイミングにおいて、モード選択画面が表示されている状態で、圧力として「０．７気圧」が選択され、運転時間として「９０分」が選択され、降圧時間として「ゆっくり」が選択され、設定完了操作が検出され、開始ボタン１１が操作されると、減圧開閉弁２１が開放し、減圧ポンプ２８が駆動することにより、収容部２の内部の気圧が降圧されることとなる。
【０１０６】
そして、図７（Ａ）から図７（Ｂ）の間のタイミングにおいては、収容部２の内部の気圧を、標準気圧である「１．０」気圧から設定された「０．７０」気圧まで降圧する制御を行う。具体的には、「１５」分で「０．３」気圧降圧する制御が行われることとなる。換言すると、単位時間である「１」分あたり、「０．０２」気圧降圧する制御が行われる。そして、ステップＳ１０５の監視処理においては、単位時間である「１」分ごとに、「０．０２」気圧よりも降圧しているか否かを監視し、「０．０２」気圧よりも降圧している場合には、ステップＳ１０７の補正処理により、第１開閉弁２３〜第４開閉弁２６を開閉する制御が行われることとなる。ここで、第１開閉弁２３〜第４開閉弁２６が開放されると、収容部２の内部に外気が取り込まれることにより、収容部２の内部の気圧が補正されることとなる。
【０１０７】
次に、図７（Ｂ）のタイミングは、設定された「０．７０」気圧まで降圧したことを示している。
【０１０８】
ここで、図７（Ｂ）から図７（Ｃ）の間のタイミングにおいては、気圧制御部６により設定されている「０．７０」気圧を維持する制御が行われる。具体的には、ステップＳ１０５の監視処理においては、「１」分ごとに、「０．０２」気圧降圧しているか否かを監視し、「０．０２」気圧降圧している場合には、ステップＳ１０７の補正処理により、第１開閉弁２３〜第４開閉弁２６の一または複数を開閉する制御が行われることとなる。ここで、第１開閉弁２３〜第４開閉弁２６の一または複数が開放されると、収容部２の内部に外気が取り込まれることとなるので、収容部２の内部の気圧が補正されることとなる。
【０１０９】
次に、図７（Ｃ）のタイミングは、気圧制御部６が故障したタイミングを示している。ここで、故障の具体例を挙げると、第１開閉弁２３〜第４開閉弁２６の何れかまたはすべてが閉塞したままとなってしまうことが考えられる。
【０１１０】
ここで、図７（Ｃ）から図７（Ｄ）の間のタイミングにおいては、気圧制御部６が故障しているため、収容部２の内部の気圧を補正することができなくなっており、収容部２の内部の気圧が徐々に降圧してしまっている。
【０１１１】
次に、図７（Ｄ）のタイミングは、収容部２の内部の気圧が減圧用の気圧閾値である「０．６」気圧まで降圧したタイミングである。このタイミングにおいて、警告装置２９は、収容部２の内部に滞在し続けることが危険であることを示す警告画像を表示し、警告音を出音する。
【０１１２】
次に、図７（Ｄ）から図７（Ｅ）の間のタイミングにおいては、収容部２の内部の気圧を標準気圧である「１．０」気圧まで復圧する制御を行う。ここで、収容部２の内部の気圧を減圧用の気圧閾値から標準気圧まで復圧する方法としては、以下の第１の復圧方法〜第４の復圧方法の何れかの方法で復圧されることとなる。
【０１１３】
（第１の復圧方法）
故障していない第１開閉弁２３〜第４開閉弁２６がある場合においては、故障していない第１開閉弁２３〜第４開閉弁２６の何れか一または複数を用いて、予めＲＯＭ６ｂに記憶されている復圧時間（例えば、「１５」分）で、収容部２の内部の気圧を減圧用の気圧閾値である「０．６」気圧から標準気圧である「１．０」気圧まで復圧する。
【０１１４】
（第２の復圧方法）
故障していない第１開閉弁２３〜第４開閉弁２６がある場合においては、故障していない第１開閉弁２３〜第４開閉弁２６を全て開放することにより、収容部２の内部の気圧を減圧用の気圧閾値である「０．６」気圧から標準気圧である「１．０」気圧まで復圧する。
【０１１５】
（第３の復圧方法）
大気開放弁２２を開放することにより、収容部２の内部の気圧を減圧用の気圧閾値である「０．６」気圧から標準気圧である「１．０」気圧まで復圧する。
【０１１６】
（第４の復圧方法）
加圧ポンプ２７を駆動することにより、収容部２の内部の気圧を減圧用の気圧閾値である「０．６」気圧から標準気圧である「１．０」気圧まで復圧する。
【０１１７】
次に、図７（Ｅ）のタイミングは、収容部２の内部の気圧が標準気圧である「１．０」気圧まで復圧したタイミングである。
【０１１８】
（昇圧から復圧までの気圧の推移を表すグラフ）
次に、図８を用いて、昇圧から復圧までの気圧の推移を表すグラフの説明を行う。
【０１１９】
まず、図８（Ａ）のタイミングにおいて、モード選択画面が表示されている状態で、圧力として「１．７気圧」が選択され、運転時間として「９０分」が選択され、昇圧時間として「ゆっくり」が選択され、設定完了操作が検出され、開始ボタン１１が操作されると、加圧開閉弁２０が開放し、加圧ポンプ２７が駆動することにより、収容部２の内部の気圧が昇圧されることとなる。
【０１２０】
ここで、昇圧時間については、後で説明するが、「標準」が選択されている場合においては、「１０」分、「ゆっくり」が選択されている場合においては、「１５」分で選択された気圧まで昇圧する制御が行われる。
【０１２１】
また、運転時間として「９０」分が選択され、昇圧時間として「ゆっくり」が選択されると、昇圧時間が「１５」分、気圧維持が「６０」分、復圧時間が「１５」分となる。
【０１２２】
そして、図８（Ａ）から図８（Ｂ）の間のタイミングにおいては、収容部２の内部の気圧を、標準気圧である「１．０」気圧から設定された「１．７」気圧まで昇圧する制御を行う。具体的には、「１５」分で「０．７」気圧昇圧する制御が行われることとなる。換言すると、単位時間である「１」分あたり、「約０．０４７」気圧昇圧する制御が行われる。そして、ステップＳ１０５の監視処理においては、単位時間である「１」分ごとに、「約０．０４７」気圧よりも昇圧しているか否かを監視し、「約０．０４７」気圧よりも昇圧している場合には、ステップＳ１０７の補正処理により、第１開閉弁２３〜第４開閉弁２６の一または複数を開閉する制御が行われることとなる。ここで、第１開閉弁２３〜第４開閉弁２６が開放されると、収容部２の内部に外気が取り込まれることにより、収容部２の内部の気圧が補正されることとなる。
【０１２３】
次に、図８（Ｂ）のタイミングは、設定された「１．７」気圧まで昇圧したことを示している。
【０１２４】
ここで、図８（Ｂ）から図８（Ｃ）の間のタイミングにおいては、気圧制御部６により設定されている「１．７」気圧を維持する制御が行われる。具体的には、ステップＳ１０５の監視処理においては、「１」分ごとに、「約０．０４７」気圧昇圧しているか否かを監視し、「約０．０４７」気圧昇圧している場合には、ステップＳ１０７の補正処理により、第１開閉弁２３〜第４開閉弁２６の一または複数を開閉する制御が行われることとなる。ここで、第１開閉弁２３〜第４開閉弁２６の一または複数が開放されると、収容部２の内部に外気が取り込まれることとなるので、収容部２の内部の気圧が補正されることとなる。
【０１２５】
次に、図８（Ｃ）のタイミングは、設定された「６０」分の間、収容部２の内部の気圧が維持されたタイミングを示している。このタイミングで、加圧ポンプ２７の駆動が停止することとなる。
【０１２６】
次に、図８（Ｃ）から図８（Ｄ）の間のタイミングにおいては、収容部２の内部の気圧を、「１．７」気圧から標準気圧である「１．０」気圧まで復圧する制御を行う。具体的には、「１５」分で「０．７」気圧降圧する制御が行われることとなる。換言すると、単位時間である「１」分あたり、「約０．０４７」気圧降圧する制御が行われる。そして、ステップＳ１０５の監視処理においては、単位時間である「１」分ごとに、「約０．０４７」気圧降圧しているか否かを監視し、「約０．０４７」気圧降圧していない場合には、ステップＳ１０７の補正処理により、第１開閉弁２３〜第４開閉弁２６の一または複数を開閉する制御が行われることとなる。ここで、第１開閉弁２３〜第４開閉弁２６の一または複数が開放されると、収容部２の内部に外気が取り込まれることにより、収容部２の内部の気圧が補正されることとなる。
【０１２７】
次に、図８（Ｄ）のタイミングは、収容部２の内部の気圧が標準気圧に復圧されたタイミングを示している。
【０１２８】
（昇圧故障時における気圧の推移を表すグラフ）
次に、図９を用いて、昇圧故障時における気圧の推移を表すグラフの説明を行う。
【０１２９】
まず、図９（Ａ）のタイミングにおいて、モード選択画面が表示されている状態で、圧力として「１．７気圧」が選択され、運転時間として「９０分」が選択され、昇圧時間として「ゆっくり」が選択され、設定完了操作が検出され、開始ボタン１１が操作されると、減圧開閉弁２１が開放し、加圧ポンプ２７が駆動することにより、収容部２の内部の気圧が昇圧されることとなる。
【０１３０】
そして、図９（Ａ）から図９（Ｂ）の間のタイミングにおいては、収容部２の内部の気圧を、標準気圧である「１．０」気圧から設定された「１．７」気圧まで昇圧する制御を行う。具体的には、「１５」分で「０．７」気圧昇圧する制御が行われることとなる。換言すると、単位時間である「１」分あたり、「約０．０４７」気圧昇圧する制御が行われる。そして、ステップＳ１０５の監視処理においては、単位時間である「１」分ごとに、「０．０４７」気圧よりも昇圧しているか否かを監視し、「約０．０４７」気圧よりも昇圧している場合には、ステップＳ１０７の補正処理により、第１開閉弁２３〜第４開閉弁２６の一または複数を開閉する制御が行われることとなる。ここで、第１開閉弁２３〜第４開閉弁２６の一または複数が開放されると、収容部２の内部に外気が取り込まれることにより、収容部２の内部の気圧が補正されることとなる。
【０１３１】
次に、図９（Ｂ）のタイミングは、選択された「１．７」気圧まで昇圧したことを示している。
【０１３２】
ここで、図９（Ｂ）から図９（Ｃ）の間のタイミングにおいては、気圧制御部６により設定されている「１．７」気圧を維持する制御が行われる。具体的には、ステップＳ１０５の監視処理においては、「１」分ごとに、「約０．０４７」気圧昇圧しているか否かを監視し、「約０．０４７」気圧昇圧している場合には、ステップＳ１０７の補正処理により、第１開閉弁２３〜第４開閉弁２６の一または複数を開閉する制御が行われることとなる。ここで、第１開閉弁２３〜第４開閉弁２６の一または複数が開放されると、収容部２の内部に外気が取り込まれることとなるので、収容部２の内部の気圧が補正されることとなる。
【０１３３】
次に、図９（Ｃ）のタイミングは、気圧制御部６が故障したタイミングを示している。ここで、故障の具体例を挙げると、第１開閉弁２３〜第４開閉弁２６の何れかまたはすべてが閉塞したままとなってしまうことが考えられる。
【０１３４】
ここで、図９（Ｃ）から図９（Ｄ）の間のタイミングにおいては、気圧制御部６が故障しているため、収容部２の内部の気圧を補正することができなくなっており、収容部２の内部の気圧が徐々に昇圧してしまっている。
【０１３５】
次に、図９（Ｄ）のタイミングは、収容部２の内部の気圧が加圧用の気圧閾値である「１．８」気圧まで昇圧したタイミングである。このタイミングにおいて、警告装置２９は、収容部２の内部に滞在し続けることが危険であることを示す警告画像を表示し、警告音を出音する。
【０１３６】
次に、図９（Ｄ）から図９（Ｅ）の間のタイミングにおいては、収容部２の内部の気圧を標準気圧である「１．０」気圧まで復圧する制御を行う。ここで、収容部２の内部の気圧を加圧用の気圧閾値から標準気圧まで復圧する方法としては、以下の第１の復圧方法〜第４の復圧方法の何れかの方法で復圧されることとなる。
【０１３７】
（第１の復圧方法）
故障していない第１開閉弁２３〜第４開閉弁２６がある場合においては、故障していない第１開閉弁２３〜第４開閉弁２６の何れか一または複数を用いて、予めＲＯＭ６ｂに記憶されている復圧時間（例えば、「１５」分）で、収容部２の内部の気圧を加圧用の気圧閾値である「１．８」気圧から標準気圧である「１．０」気圧まで復圧する。
【０１３８】
（第２の復圧方法）
故障していない第１開閉弁２３〜第４開閉弁２６がある場合においては、故障していない第１開閉弁２３〜第４開閉弁２６を全て開放することにより、収容部２の内部の気圧を加圧用の気圧閾値である「１．８」気圧から標準気圧である「１．０」気圧まで復圧する。
【０１３９】
（第３の復圧方法）
大気開放弁２２を開放することにより、収容部２の内部の気圧を加圧用の気圧閾値である「１．８」気圧から標準気圧である「１．０」気圧まで復圧する。
【０１４０】
（第４の復圧方法）
減圧ポンプ２８を駆動することにより、収容部２の内部の気圧を加圧用の気圧閾値である「１．８」気圧から標準気圧である「１．０」気圧まで復圧する。
【０１４１】
次に、図９（Ｅ）のタイミングは、収容部２の内部の気圧が標準気圧である「１．０」気圧まで復圧したタイミングである。
【０１４２】
（降圧故障時における警告装置２９の表示態様）
次に、図１０を用いて、降圧故障時における警告装置２９の表示態様について説明を行う。
【０１４３】
まず、図１０（Ａ）は、液晶表示装置１９にモード選択画面が表示されていることを示している。また、図１０（Ａ）は、圧力選択として「０．７０」気圧が選択されており、運転時間として「９０」分が選択されており、降圧時間として「ゆっくり」が選択されている。
【０１４４】
ここで、本実施形態においては、圧力選択として、「１．３」気圧、「１．４」気圧、「１．５」気圧、「１．６」気圧、「１．７」気圧、「０．９０」気圧、「０．８５」気圧、「０．８０」気圧、「０．７５」気圧、及び「０．７０」気圧を選択可能である。なお、図１０（Ａ）に示す圧力選択はあくまで一例であって、他の圧力を選択可能としてもよい。
【０１４５】
また、本実施形態においては、運転時間として、「３０」分、「６０」分、「９０」分、「１２０」分、及び「１８０」分を選択可能となっている。なお、図１０（Ａ）に示す運転時間はあくまで一例であって、他の運転時間を選択可能としてもよい。例えば、運転時間として、「無限」を選択可能としてもよい。
【０１４６】
また、本実施形態においては、降圧時間として、「通常」、及び「ゆっくり」を選択可能となっている。ここで、降圧時間として「通常」が選択された場合には、「１０」分で選択された気圧に到達するように降圧し、降圧時間として「ゆっくり」が選択された場合には、「１５」分で選択された気圧に到達するように降圧することとなる。なお、図１０（Ａ）に示す降圧時間はあくまで一例であって、他の降圧時間を選択可能としてもよい。
【０１４７】
そして、液晶表示装置１９の表示態様が図１０（Ａ）に示されている表示態様である場合において、「設定完了」に対応する領域のタッチパネル１５が操作される設定完了操作が検出され、開始ボタン１１が操作されると、収容部２の内部の気圧が降圧されることとなる。
【０１４８】
次に、図１０（Ｂ）は、収容部２の内部の気圧が降圧されている状態における警告装置２９の表示態様を示している。また、図１０（Ｂ）は、圧力選択として「０．７０」気圧が選択されていることを示しており、運転時間として「９０」分が選択されていることを示しており、降圧時間として「１５」分が選択されていることを示しており、復圧時間が「１５」分であることを示している。
【０１４９】
また、図１０（Ｂ）は、運転状態が「降圧」であることを示しており、経過時間が「１０」分「２３」秒であることを示しており、現在の収容部２の内部の気圧が「０．８」気圧であることを示している。
【０１５０】
また、図１０（Ｂ）のタイミングにおいては、収容部２の内部の気圧の推移を示すグラフが表示される。なお、このグラフは、設定された運転時間に「５」分を加算した分のグラフが表示されることとなる。
【０１５１】
なお、図１０（Ｂ）のタイミングにおいて、設定変更操作が検出されると、設定された「０．７」気圧から気圧を変更することができる。
【０１５２】
次に、図１０（Ｃ）は、気圧制御部６の第１開閉弁２３〜第４開閉弁２６が故障し、収容部２の内部の気圧が閾値である「０．６」気圧に到達したときの警告装置２９の表示態様を示している。
【０１５３】
また、図１０（Ｃ）は、運転状態が「異常」であることを示しており、経過時間が「３５」分「００」秒であることを示しており、現在の収容部２の内部の気圧が「０．６」気圧であることを示している。
【０１５４】
また、図１０（Ｃ）のタイミングにおいては、収容部２の内部の気圧が閾値である「０．６」気圧に到達しているので、警告装置２９に「異常発生」の文字画像が表示されることとなる。
【０１５５】
なお、図１０（Ｃ）のタイミングにおいては、図１０（Ｂ）と同様に、収容部２の内部の気圧の推移を示すグラフが表示されることとなる。
【０１５６】
ここで、収容部２の内部の気圧が閾値である「０．６」気圧に到達したタイミングとなった場合に、液晶表示装置１９の表示態様は、図１０（Ｃ）の表示態様と同じ表示態様となる。このため、収容部２の外部からであっても異常が発生したことを認識可能となっている。
【０１５７】
そして、収容部２の内部の気圧が減圧用の気圧閾値に到達すると、標準気圧である「１．０」気圧まで復圧する制御が行われることとなる。
【０１５８】
次に、図１０（Ｄ）は、収容部２の内部の気圧が標準気圧である「１．０」気圧に復圧したときの警告装置２９の表示態様を示している。また、図１０（Ｄ）は、運転状態が「停止」であることを示しており、経過時間が「６０」分「００」秒であることを示しており、現在の収容部２の内部の気圧が「１．０」気圧であることを示している。
【０１５９】
（昇圧故障時における警告装置２９の表示態様）
次に、図１１を用いて、昇圧故障時における警告装置２９の表示態様について説明を行う。
【０１６０】
まず、図１１（Ａ）は、液晶表示装置１９にモード選択画面が表示されていることを示している。また、図１１（Ａ）は、圧力選択として「１．７」気圧が選択されており、運転時間として「９０」分が選択されており、昇圧時間として「ゆっくり」が選択されている。
【０１６１】
また、本実施形態においては、昇圧時間として、「通常」、及び「ゆっくり」を選択可能となっている。ここで、昇圧時間として「通常」が選択された場合には、「１０」分で選択された気圧に到達するように昇圧し、昇圧時間として「ゆっくり」が選択された場合には、「１５」分で選択された気圧に到達するように昇圧することとなる。なお、図１１（Ａ）に示す昇圧時間はあくまで一例であって、他の昇圧時間を選択可能としてもよい。
【０１６２】
そして、液晶表示装置１９の表示態様が図１１（Ａ）に示されている表示態様である場合において、設定完了操作が検出され、開始ボタン１１が操作されると、収容部２の内部の気圧が昇圧されることとなる。
【０１６３】
次に、図１１（Ｂ）は、収容部２の内部の気圧が昇圧されている状態における警告装置２９の表示態様を示している。また、図１１（Ｂ）は、圧力選択として「１．７」気圧が選択されていることを示しており、運転時間として「９０」分が選択されていることを示しており、昇圧時間として「１５」分が選択されていることを示しており、復圧時間が「１５」分であることを示している。
【０１６４】
また、図１１（Ｂ）は、運転状態が「昇圧」であることを示しており、経過時間が「１０」分「２３」秒であることを示しており、現在の収容部２の内部の気圧が「１．５」気圧であることを示している。
【０１６５】
また、図１１（Ｂ）のタイミングにおいては、収容部２の内部の気圧の推移を示すグラフが表示される。なお、このグラフは、設定された運転時間に「５」分を加算した分のグラフが表示されることとなる。
【０１６６】
なお、図１１（Ｂ）のタイミングにおいて、設定変更操作が検出されると、設定された「１．７」気圧から気圧を変更することができる。
【０１６７】
次に、図１１（Ｃ）は、気圧制御部６の第１開閉弁２３〜第４開閉弁２６が故障し、収容部２の内部の気圧が閾値である「１．８」気圧に到達したときの警告装置２９の表示態様を示している。
【０１６８】
また、図１１（Ｃ）は、運転状態が「異常」であることを示しており、経過時間が「３５」分「００」秒であることを示しており、現在の収容部２の内部の気圧が「１．８」気圧であることを示している。
【０１６９】
また、図１１（Ｃ）のタイミングにおいては、収容部２の内部の気圧が閾値である「１．８」気圧に到達しているので、警告装置２９に「異常発生」の文字画像が表示されることとなる。
【０１７０】
なお、図１１（Ｃ）のタイミングにおいては、図１１（Ｂ）と同様に、収容部２の内部の気圧の推移を示すグラフが表示されることとなる。
【０１７１】
ここで、収容部２の内部の気圧が閾値である「１．８」気圧に到達したタイミングとなった場合に、液晶表示装置１９の表示態様は、図１１（Ｃ）の表示態様と同じ表示態様となる。このため、収容部２の外部からであっても異常が発生したことを認識可能となっている。
【０１７２】
そして、収容部２の内部の気圧が閾値に到達すると、標準気圧である「１．０」気圧まで復圧する制御が行われることとなる。
【０１７３】
次に、図１１（Ｄ）は、収容部２の内部の気圧が標準気圧である「１．０」気圧に復圧したときの警告装置２９の表示態様を示している。また、図１１（Ｄ）は、運転状態が「停止」であることを示しており、経過時間が「７５」分「００」秒であることを示しており、現在の収容部２の内部の気圧が「１．０」気圧であることを示している。
【０１７４】
（その他の実施形態）
以下において、その他の実施形態について説明を行う。
【０１７５】
上述した実施形態では、加圧用の気圧閾値として「１．８」気圧、減圧用の気圧閾値として「０．６」気圧がＲＯＭ６ｂに記憶されているが、これに限定されることはない。例えば、選択可能な圧力ごとに気圧閾値が設けられていてもよい。
【０１７６】
具体的には、上述した実施形態においては、圧力選択として、「１．３」気圧、「１．４」気圧、「１．５」気圧、「１．６」気圧、「１．７」気圧、「０．９０」気圧、「０．８５」気圧、「０．８０」気圧、「０．７５」気圧、及び「０．７０」気圧を選択可能となっている。
【０１７７】
このため、「１．３」気圧が選択された場合における加圧用の気圧閾値として「１．４」気圧を記憶し、「１．４」気圧が選択された場合における加圧用の気圧閾値として「１．５」気圧を記憶し、「１．５」気圧が選択された場合における加圧用の気圧閾値として「１．６」気圧を記憶し、「１．６」気圧が選択された場合における加圧用の気圧閾値として「１．７」気圧を記憶し、「１．７」気圧が選択された場合における加圧用の気圧閾値として「１．８」気圧を記憶する。
【０１７８】
これにより、例えば、圧力選択として「１．３」気圧が選択されている場合においては、加圧用の気圧閾値が「１．４」気圧となることから、上述した実施形態のように、「１．８」気圧まで昇圧する前に、気圧制御部６の故障を発見することができる。これにより、利用者の安全性をより高めることができる。
【０１７９】
また、「０．９０」気圧が選択された場合における減圧用の気圧閾値として「０．８０」気圧を記憶し、「０．８５」気圧が選択された場合における減圧用の気圧閾値として「０．７５」気圧を記憶し、「０．８０」気圧が選択された場合における減圧用の気圧閾値として「０．７０」気圧を記憶し、「０．７５」気圧が選択された場合における減圧用の気圧閾値として「０．６５」気圧を記憶し、「０．７０」気圧が選択された場合における減圧用の気圧閾値として「０．６０」気圧を記憶する。
【０１８０】
これにより、例えば、圧力選択として「０．８」気圧が選択されている場合においては、減圧用の気圧閾値が「０．７」気圧となることから、上述した実施形態のように、「０．６」気圧まで降圧する前に、気圧制御部６の故障を発見することができる。これにより、利用者の安全性をより高めることができる。
【０１８１】
このように、本発明によれば、気圧制御部６の液晶表示装置１９にモード選択画面が表示されている状態において、標準気圧よりも低い気圧が圧力選択として選択されるとともに、運転時間、及び降圧時間が選択され、設定完了操作が検出され、開始ボタン１１が操作されると、収容部２の内部の気圧が降圧されることとなる。そして、ＣＰＵ６ａにより、収容部２の内部の気圧が減圧用の気圧閾値である「０．６」気圧となったと判定されると、警告装置２９により警告が行われる。そうすると、利用者は、収容部２の内部の気圧が減圧用の気圧閾値である「０．６」気圧に到達したことを認識することができるので、収容部２の外に避難することが可能となる。これにより、酸素ルーム１の利用者の安全性を高めることができる。
【０１８２】
また、本発明によれば、気圧制御部６の液晶表示装置１９にモード選択画面が表示されている状態において、標準気圧よりも高い気圧が圧力選択として選択されるとともに、運転時間、及び昇圧時間が選択され、設定完了操作が検出され、開始ボタン１１が操作されると、収容部２の内部の気圧が昇圧されることとなる。そして、ＣＰＵ６ａにより、収容部２の内部の気圧が加圧用の気圧閾値である「１．８」気圧となったと判定されると、警告装置２９により警告が行われる。そうすると、利用者は、収容部２の内部の気圧が加圧用の気圧閾値である「１．８」気圧に到達したことを認識することができるので、収容部２の外に避難することが可能となる。これにより、酸素ルーム１の利用者の安全性を高めることができる。
【０１８３】
また、本発明によれば、ＣＰＵ６ａは、収容部２の内部の気圧が加圧用の気圧閾値である「１．８」気圧となったと判定した場合や、収容部２の内部の気圧が減圧用の気圧閾値である「０．６」気圧となったと判定した場合に、収容部２の内部の気圧を標準気圧に復圧する制御が行う。これにより、気圧制御部６が故障した場合であっても、収容部２の内部が標準気圧に復圧されることとなるので、酸素ルーム１の利用者の安全性をより高めることができる。
【０１８４】
なお、本実施形態において、「収容部２」は、請求項１に係る発明の「収容部」を構成する。
【０１８５】
また、本実施形態において、「開口部３」は、請求項１に係る発明の「開口部」を構成する。
【０１８６】
また、本実施形態において、「気圧制御部６」は、請求項１に係る発明の「低圧制御部」を構成する。
【０１８７】
また、本実施形態において、「扉部４」は、請求項１に係る発明の「扉部」を構成する。
【０１８８】
また、本実施形態において、「気圧計１６」は、請求項１に係る発明の「計測部」を構成する。
【０１８９】
また、本実施形態において、「ステップＳ１０１の処理を行うＣＰＵ６ａ」は、請求項１に係る発明の「判定部」を構成する。
【０１９０】
また、本実施形態において、「警告装置２９」は、請求項１に係る発明の「警告部」を構成する。
【０１９１】
なお、本実施形態において、「収容部２」は、請求項２に係る発明の「収容部」を構成する。
【０１９２】
また、本実施形態において、「開口部３」は、請求項２に係る発明の「開口部」を構成する。
【０１９３】
また、本実施形態において、「気圧制御部６」は、請求項２に係る発明の「高圧制御部」を構成する。
【０１９４】
また、本実施形態において、「扉部４」は、請求項２に係る発明の「扉部」を構成する。
【０１９５】
また、本実施形態において、「気圧計１６」は、請求項２に係る発明の「計測部」を構成する。
【０１９６】
また、本実施形態において、「ステップＳ１０１の処理を行うＣＰＵ６ａ」は、請求項２に係る発明の「判定部」を構成する。
【０１９７】
また、本実施形態において、「警告装置２９」は、請求項２に係る発明の「警告部」を構成する。
【０１９８】
なお、本実施形態において、「ステップＳ２０の処理を行うＣＰＵ６ａ」は、請求項３に係る発明の「復圧部」を構成する。
【０１９９】
なお、本発明の実施について図面を用いて説明したが、具体的な構成はこれらの実施形態に限られるものではなく、本発明の要旨を逸脱しない範囲の設計変更等があっても本発明に含まれる。また、各図面で示した実施形態は、その目的及び構成等に矛盾や問題がない限り、互いの記載内容を組み合わせることが可能である。また、各図面の記載内容はそれぞれ独立した実施形態になり得るものであり、本発明の実施形態は各図面を組み合わせた一つの実施形態に限定されるものではない。
【符号の説明】
【０２００】
１      酸素ルーム
２      収容部
３      開口部
４      扉部
５      窓部
６      気圧制御部
６ａ    ＣＰＵ
６ｂ    ＲＯＭ
６ｃ    ＲＡＭ
７      濃縮酸素装置
８      外側酸素排出弁
９      内側酸素排出弁
１０    電源鍵部
１１    開始ボタン
１２    終了ボタン
１３    一時停止ボタン
１４    緊急停止ボタン
１５    タッチパネル
１６    気圧計
１７    酸素濃度計
１８    受話器
１９    液晶表示装置
２０    加圧開閉弁
２１    減圧開閉弁
２２    大気開放弁
２３    第１開閉弁
２４    第２開閉弁
２５    第３開閉弁
２６    第４開閉弁
２７    加圧ポンプ
２８    減圧ポンプ
２９    警告装置
【図１】
2020110361.tif 000003
【図２】
2020110361.tif 000004
【図３】
2020110361.tif 000005
【図４】
2020110361.tif 000006
【図５】
2020110361.tif 000007
【図６】
2020110361.tif 000008
【図７】
2020110361.tif 000009
【図８】
2020110361.tif 000010
【図９】
2020110361.tif 000011
【図１０】
2020110361.tif 000012
【図１１】
2020110361.tif 000013
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
利用者を内部に収容可能な金属製の収容部と、
前記収容部に形成された開口部と、
前記収容部の内部の気圧を標準気圧と比較して低い気圧にする制御を行う低圧制御部と、
前記開口部を閉塞可能な扉部と、
前記収容部の内部の気圧を計測する計測部と、
前記計測部により計測された前記収容部の内部の気圧が所定の閾値に到達したか否かを判定する判定部と、
前記判定部により、前記収容部の内部の気圧が前記所定の閾値に到達したと判定された場合に、警告を行う警告部と、
前記収容部の内部から前記利用者による操作された場合に、前記収容部の内部の気圧を標準気圧に復圧する内側酸素排出弁と、
前記判定部により、前記収容部の内部の気圧が前記所定の閾値に到達したと判定された場合に、前記収容部の内部の気圧を前記標準気圧に復圧する制御を行う復圧制御部と、
を備えたことを特徴とする酸素ルーム。
【請求項２】
利用者を内部に収容可能な金属製の収容部と、
前記収容部に形成された開口部と、
前記収容部の内部の気圧を標準気圧と比較して高い気圧にする制御を行う高圧制御部と、
前記開口部を閉塞可能な扉部と、
前記収容部の内部の気圧を計測する計測部と、
前記計測部により計測された前記収容部の内部の気圧が所定の閾値に到達したか否かを判定する判定部と、
前記判定部により、前記収容部の内部の気圧が前記所定の閾値に到達したと判定された場合に、警告を行う警告部と、
前記収容部の内部から前記利用者による操作された場合に、前記収容部の内部の気圧を標準気圧に復圧する内側酸素排出弁と、
前記判定部により、前記収容部の内部の気圧が前記所定の閾値に到達したと判定された場合に、前記収容部の内部の気圧を前記標準気圧に復圧する制御を行う復圧制御部と、
を備えたことを特徴とする酸素ルーム。
【手続補正２】
【補正対象書類名】明細書
【補正対象項目名】０００６
【補正方法】変更
【補正の内容】
【０００６】
このような課題を解決するために、本発明に係る酸素ルームは、利用者を内部に収容可能な金属製の収容部と、前記収容部に形成された開口部と、前記収容部の内部の気圧を標準気圧と比較して低い気圧にする制御を行う低圧制御部と、前記開口部を閉塞可能な扉部と、前記収容部の内部の気圧を計測する計測部と、前記計測部により計測された前記収容部の内部の気圧が所定の閾値に到達したか否かを判定する判定部と、前記判定部により、前記収容部の内部の気圧が前記所定の閾値に到達したと判定された場合に、警告を行う警告部と、前記収容部の内部から前記利用者による操作された場合に、前記収容部の内部の気圧を標準気圧に復圧する内側酸素排出弁と、前記判定部により、前記収容部の内部の気圧が前記所定の閾値に到達したと判定された場合に、前記収容部の内部の気圧を前記標準気圧に復圧する制御を行う復圧制御部と、を備えたことを特徴とする。
【手続補正３】
【補正対象書類名】明細書
【補正対象項目名】０００７
【補正方法】変更
【補正の内容】
【０００７】
また、本発明に係る酸素ルームは、利用者を内部に収容可能な金属製の収容部と、前記収容部に形成された開口部と、前記収容部の内部の気圧を標準気圧と比較して高い気圧にする制御を行う高圧制御部と、前記開口部を閉塞可能な扉部と、前記収容部の内部の気圧を計測する計測部と、前記計測部により計測された前記収容部の内部の気圧が所定の閾値に到達したか否かを判定する判定部と、前記判定部により、前記収容部の内部の気圧が前記所定の閾値に到達したと判定された場合に、警告を行う警告部と、前記収容部の内部から前記利用者による操作された場合に、前記収容部の内部の気圧を標準気圧に復圧する内側酸素排出弁と、前記判定部により、前記収容部の内部の気圧が前記所定の閾値に到達したと判定された場合に、前記収容部の内部の気圧を前記標準気圧に復圧する制御を行う復圧制御部と、を備えたことを特徴とする。
【手続補正４】
【補正対象書類名】明細書
【補正対象項目名】０００８
【補正方法】削除
【補正の内容】